(57)【要約】【課題】発光ダイオードのチップの光度を簡単な方法で微調整することにより、色調バランスを整え、安価で品質の優れた発光ダイオードを提供することを目的とする。【解決手段】ＬＥＤチップ６略上面の封止部材４上に補正ドット７を捺印することにより光度を補正する。該補正ドット７は前記ＬＥＤチップ６の特性に合わせドットの大きさおよび数を変化させることで、さらに綿密な調整を施した発光ダイオードを得ることができる。なお、本発明に用いた補正ドットは直径数ミリ程度の大きさであるが、現在の捺印技術を用いれば直径がマイクロオーダーの捺印補正ドットを施すことが可能であり、それに伴ったドット径および数を変化させることも可能である。これによりより細かな補正をすることができ、より色調精度の高い発光ダイオードを提供することが可能である。【選択図】      図３
2007194552.tif 000002
【特許請求の範囲】
【請求項１】
少なくとも一個のＬＥＤチップと、該ＬＥＤチップを搭載する基台部と、前記ＬＥＤチップを前記基台部に封止部材を用いて封止することから成る発光ダイオードにおいて、前記ＬＥＤチップの略上面の封止部材に光度補正手段を設けたことを特徴とする発光ダイオード。
【請求項２】
前記光度補正手段は、前記ＬＥＤチップ略上面の前記封止部材上に配置した補正ドットから成り、該補正ドットの大きさおよびドット数を変化させたことを特徴とする請求項１記載の発光ダイオード。
【請求項３】
前記発光ダイオードはＲ（赤）、Ｇ（緑）、Ｂ（青）の三原色で構成するとともに各色の光度バランスを補正する前記光度補正手段により、混合色点灯による色度調整を行ったことを特徴とする請求項１および請求項２の発光ダイオード。
【発明の詳細な説明】
【技術分野】
【０００１】
本発明は、各種電子、電気機器に使用される発光ダイオードに関し、光度のバラツキを容易に微調整することを可能とした発光ダイオードに関する。
【背景技術】
【０００２】
従来、発光ダイオードの色調バランスをとるには、ＬＥＤチップを徹底して選別する方法や完成した発光ダイオードを検査により一つずつ振るい落とす方法があった。また、点灯方法に関しては特開２００１−２０９０４９のように色度補正用発光ダイオードに流す直流電流を可変抵抗により設定する方法や、特開平５−９６７８３のようにＩＣチップ内に設けられた回路により発光ダイオードの光量を制御する方法等があった。
【特許文献１】特開２００１−２０９０４９
【特許文献２】特開平５−９６７８３
【発明の開示】
【発明が解決しようとする課題】
【０００３】
しかしながら、前記のようなＬＥＤチップを徹底して選別する方法や完成した発光ダイオードを検査により一つずつ振るい落とす方法では歩留りが悪く、発光ダイオードの単価が高騰する結果となる。また、ダイオードに流す電流を可変抵抗により設定する方法では発光光度を測定する手段に膨大な手間を要し、補正回路を採用する方法では前述したように発光光度を測定する手段に膨大な手間を要し、補正回路そのものも複雑な回路を必要とする等多くの問題があった。そこで本発明は上記のような問題を解決し、発光ダイオードの光度を簡単な方法で微調整することにより、色調バランスを整え、安価で品質の優れた発光ダイオードを提供することを目的とする。
【課題を解決するための手段】
【０００４】
本発明は、上記目的を達成するために、少なくとも１個のＬＥＤチップと、該ＬＥＤチップを搭載する基台部と、前記ＬＥＤチップを前記基台部に封止部材を用いて封止してなる発光ダイオードにおいて、前記ＬＥＤチップ略上面の前記封止部材上に補正ドットを捺印することにより光度を補正する光度補正手段とする。該補正ドットは前記ＬＥＤチップの特性に合わせ、大きさおよびドット数を変化させることでさらに綿密な調整を施した発光ダイオードを得ることができる。
【発明の効果】
【０００５】
（１）少なくとも一個のＬＥＤチップと、該ＬＥＤチップを搭載する基台部と、前記ＬＥＤチップを前記基台部に封止部材を用いて封止することからなる発光ダイオードにおいて、前記ＬＥＤチップの略上面に光度補正手段を設けたので、光度調整が容易となり、バラツキが少なく品質の優れた発光ダイオードを提供することができる。
（２）光度補正手段をＬＥＤチップ略上面の前記封止部材上に配置した補正ドットで構成したので、発光ダイオード完成後に光度補正が可能となるため、歩留りが著しく向上でき、安価で光度変化の少ない発光ダイオードを得ることができる。
（３）ＬＥＤチップの特性に合わせ、前記補正ドットの大きさおよびドット数を変化させることができるので、色度座標の厳しい要求にも対応可能な白色用ＲＧＢ発光ダイオードを構成することができる。
【発明を実施するための最良の形態】
【０００６】
本発明は液晶ディスプレイのバックライトや照明機器、電子部品モジュールに使用される。特に連続して取り付けられる照光式スイッチにおける隣り合ったスイッチの色調補正は従来個々のスイッチに取り付けられていた可変抵抗にて個別に調整する必要があるなど調整管理コストがかかっていたが、本発明によりその必要がなく、調整管理コストを削減し安定した照光品質を維持でき、大きな効果を奏することができる。
【実施例】
【０００７】
以下、本発明の実施例について、図面を参照しながら詳細に説明する。
【０００８】
図１は本発明の実施例を表す発光ダイオードの平面図、図２はその断面図である。図１、図２において、１は反射効率のよい絶縁部材から成る基台部、２は端子５に連結したパターン部であり、それぞれＲ、Ｇ、ＢのＬＥＤチップ６が搭載されている。また、３はボンディングワイヤーであり前記ＬＥＤチップ６と前記パターン部２を結線している。４は前記ＬＥＤチップ６を前記基台部１に封止する封止部材である。
【０００９】
図３は図１のＬＥＤチップに光度補正手段として補正ドット７を捺印した発光ダイオードの平面図である。該補正ドット７は他のＬＥＤチップ６よりも光度が高いものに対して行われる補正手段である。
図４、図５、図６に他の補正事例を示す。図４は非補正チップに比べ他の２つのＬＥＤチップ６に光度補正手段を実施した例であり、３つのＬＥＤチップ６の最も光度の弱いチップを基準に他の２つのＬＥＤチップ６に補正ドット７を捺印し光度を弱めたものである。
図５は図３に示したＬＥＤチップ６の補正ドット７の大きさおよびドット数に変化を持たせさらに微調整を施したものである。このように微調整を施すことで極めて色調精度の高い発光ダイオードを得ることができる。
図６はメッシュ状の補正ドット７を捺印して微調整を行った事例である。
【００１０】
具体的な補正工程については、各種ＬＥＤチップ単体での振り分けにより予め分類しておく方法と、ＬＥＤを前記封止部材により封止した後色度座標により補正する方法があるが、ここでは後者の方法について述べる。
【００１１】
図７はｘｙ色度図のｘ座標、ｙ座標ともに０．２５から０．３５のいわゆるＲ、Ｇ、Ｂを混色させた時の白色付近を拡大して示した図であり、本発明で求められる白色の光度の範囲を該ｘｙ色度図における、ｘ座標で０．３００±０．０１、ｙ座標で０．３１５±０．０１の範囲と仮設定し、この範囲を適合範囲とする。
該ｘｙ色度図内に、あるロットで得られた３つの混色サンプルの代表事例をＳ、Ｔ、Ｕ、の３つのポイントでプロットしている。ポイントＳはＲが弱く前記ｘｙ色度図の適合範囲の左上方に外れている。ポイントＴはＧ、Ｂが弱くＲが相対的に強くなっているため前記ｘｙ色度図の適合範囲の右へ外れている。ポイントＵはＢが強く前記ｘｙ色度図の適合範囲の左下方へ外れている。
【００１２】
上述した光度のバラツキを補正するため本発明の補正手段を施した結果を図８に示している。
ポイントＳを示したＬＥＤは適合範囲内に収めるためにＧチップに補正ドット７を捺印をし、該Ｇチップの光度を弱める。これによりポイントＳを示したＬＥＤがポイントＳ’へと移動し、補正が完了する。
ポイントＴを示したＬＥＤは適合範囲内に収めるためにＲチップに補正ドット７を捺印し、該Ｒチップの光度を弱める。これによりポイントＴを示したＬＥＤがポイントＴ’へと移動し、補正が完了する。
ポイントＵを示したＬＥＤは適合範囲内に収めるためにＢチップに補正ドット７を捺印し、該Ｂチップの光度を弱める。これによりポイントＵを示したＬＥＤがポイントＵ’へと移動し、補正が完了する。
【００１３】
このようにＲ、Ｇ、Ｂの各チップの少なくとも一つに光度を補正するための補正ドットを捺印することにより混合色点灯による色度調整を行うことが可能である。
なお、本発明に用いた補正ドットは直径数ミリ程度の大きさであるが、現在の捺印技術を用いれば直径がマイクロオーダーの捺印補正ドットを施すことが可能であり、それに伴ったドット径および数を変化させることも可能である。これによりより細かな補正をすることができ、より色調精度の高い発光ダイオードを提供することが可能である。また、前述の適合範囲以外の箇所に光度を補正したい場合でも同様の補正にて希望する座標に光度を変更することができる。
【００１４】
本発明は上記実施例に限定されるものではなく、本発明の趣旨に基づいて種々の変形が可能である。例えば、３つのＬＥＤチップの最も光度の弱いチップを基準として最も高度の強いチップに補正ドットを捺印し、次に光度の強いチップにメッシュ状の補正ドットを施して微調整を行う等である。これらを本発明の範囲から排除するものではない。
【産業上の利用可能性】
【００１５】
少なくとも一個のＬＥＤチップと、該ＬＥＤチップを搭載する基台部と、前記ＬＥＤチップを前記基台部に封止部材を用いて封止することからなる発光ダイオードにおいて、前記ＬＥＤチップの略上面に光度補正手段を設けることにより、光度調整を容易とし、従来の可変抵抗や補正回路を用いて光度を補正する等、手間やコストをかけることなくバラツキの少ない品質の優れた発光ダイオードを提供することができる。
【図面の簡単な説明】
【００１６】
【図１】発光ダイオードの平面図である。
【図２】発光ダイオードの断面図である。
【図３】発光ダイオードに補正ドットを捺印した本発明の発光ダイオードの平面図である。
【図４】２つのＬＥＤチップに補正ドットを捺印した発光ダイオードの平面図である。
【図５】補正ドットの大きさおよびドット数に変化を持たせた発光ダイオードの平面図である。
【図６】メッシュ状の補正ドットを捺印した発光ダイオードの平面図である。
【図７】白色付近を拡大して示したｘｙ色度図である。
【図８】補正ドットを捺印した前後を示したｘｙ色度図である。
【符号の説明】
【００１７】
１  基台部
２  パターン部
３  ボンディングワイヤー
４  封止部材
５  端子
６  ＬＥＤチップ
７  補正ドット
【図１】
2007194552.tif 000003
【図２】
2007194552.tif 000004
【図３】
2007194552.tif 000005
【図４】
2007194552.tif 000006
【図５】
2007194552.tif 000007
【図６】
2007194552.tif 000008
【図７】
2007194552.tif 000009
【図８】
2007194552.tif 000010